【事件の表示】
　特願２０１３−１７３３０９「遊技機」拒絶査定不服審判事件〔平成２６年　２月１３日出願公開、特開２０１４−　２８１６１〕について、次のとおり審決する。
【結　論】
　本件審判の請求は、成り立たない。
【理　由】
第１　手続の経緯
　本願は、平成２２年７月２７日に出願した特願２０１０−１６８６３１号の一部を平成２５年８月２３日に新たに出願したものであって、平成２６年４月１４日付けで拒絶理由通知がなされ、同年６月２０日付けで意見書及び手続補正書が提出され、平成２７年３月２３日付けで拒絶理由通知がなされ、同年５月２８日付けで意見書及び手続補正書が提出され、同年１１月３０日付けで拒絶理由通知がなされ、平成２８年２月３日付けで意見書及び手続補正書が提出されたが、同年３月２８日付け（発送日：同年４月５日）で拒絶査定がなされ、これに対し同年７月４日付けで拒絶査定不服審判の請求がなされるとともに手続補正がなされ、平成２８年９月１５日付けで前置報告がなされ、平成２８年１１月１７日付けで上申書が提出されたものである。
第２　平成２８年７月４日付けの手続補正についての補正却下の決定
［補正却下の決定の結論］
　平成２８年７月４日付けの手続補正を却下する。
［理由］
１　補正の概要
　平成２８年７月４日付けの手続補正（以下、「本件補正」という。）は、特許請求の範囲の請求項１の記載の補正を含む補正であり、特許請求の範囲の請求項１は、
　補正前（平成２８年２月３日付け手続補正）の
「【請求項１】
　基準位置と該基準位置とは異なる移動位置との間において移動する移動体と、該移動体を移動させる駆動源と、を備える遊技機であって、
　識別情報の可変表示を行う可変表示手段と、
　未だ開始されていない識別情報の可変表示について、保留記憶として記憶可能な保留記憶手段と、
　前記保留記憶手段に記憶されている保留記憶に対応した保留表示を表示する保留表示手段と、
　前記駆動源を用いて前記移動体を前記基準位置から前記移動位置に移動させるときにおいては前記駆動源の動力に抗して該移動体の移動速度を調整する調整手段と、
　を備え、
　前記駆動源を用いて前記移動体を前記移動位置から前記基準位置に移動させるときにおいては前記調整手段は前記駆動源の動力を補い、
　前記保留表示手段は、前記移動体の状態に応じて前記保留表示の表示態様を変更する
　ことを特徴とする遊技機。」
から、
　補正後（本件補正：平成２８年７月４日付けの手続補正）の
「【請求項１】
Ａ　基準位置と該基準位置とは異なる移動位置との間において移動する移動体と、該移動体を移動させる駆動源と、を備える遊技機であって、
Ｂ　識別情報の可変表示を行う可変表示手段と、
Ｃ　未だ開始されていない識別情報の可変表示について、保留記憶として記憶可能な保留記憶手段と、
Ｄ　前記保留記憶手段に記憶されている保留記憶に対応した保留表示を表示する保留表示手段と、
Ｅ　前記駆動源を用いて前記移動体を前記基準位置から前記移動位置に移動させるときにおいては前記駆動源の動力に抗して該移動体の移動速度を調整する調整手段と、
　を備え、
Ｆ　前記駆動源を用いて前記移動体を前記移動位置から前記基準位置に移動させるときにおいては
前記駆動源の動力が前記移動体に対し前記基準位置に移動させる方向に作用するとともに
該
Ｇ　前記保留表示手段は、前記移動体の状態に応じて前記保留表示の表示態様を変更する
　ことを特徴とする遊技機。」
へ補正された（下線部は補正箇所を示す。ただし、記号Ａ〜Ｇは分説するため当審にて付した。）。
２　補正の適否
（１）補正の目的
　本件補正は、請求項１に記載した発明を特定するために必要な事項である「駆動源」について、当該駆動源を用いて前記移動体を前記移動位置から前記基準位置に移動させるときにおいては、「前記駆動源の動力が前記移動体に対し前記基準位置に移動させる方向に作用するとともに」と限定する補正である。
　また、本件補正前の特許請求の範囲の請求項１に係る発明と補正後の特許請求の範囲の請求項１に係る発明の産業上の利用分野及び解決しようとする課題は同一である。
　したがって、本件補正は、特許法第１７条の２第５項第２号に掲げる特許請求の範囲の減縮を目的とするものである。
（２）新規事項
　願書に最初に添付した明細書の【０１６２】には、「また、下降位置から発光表示器８００を上昇させるには、昇降モータ５３３により従動ギヤ５３６を逆駆動させればよい。この場合、昇降アーム５３４の回転に伴って連結ピン５６３が上昇すると、第１連結孔５９１の上端縁に当接して第１スライド板５３１を上昇させる。」と記載されており、図１５には、「昇降アーム５３４」の回動により「発光表示器８００」が「上昇位置」と「下降位置」の間を移動することが図示されている。
　ここで、「昇降モータ５３３」、「発光表示器８００」、「上昇位置」、「下降位置」は、それぞれ、本件補正後の請求項１に係る発明の「駆動源」、「移動体」、「基準位置」、「移動位置」に相当する。
　そうすると、【０１６２】及び図１５には、「駆動源」による昇降アーム５３４の回動により「移動体」が「基準位置」と「移動位置」の間を移動することが記載されており、「駆動源」の動力が作用することで「移動体」が「基準位置」に移動することが記載されているといえる。
　したがって、本件補正は、願書に最初に添付した明細書、特許請求の範囲又は図面に記載した事項の範囲内においてしたものであり、特許法第１７条の２第３項の規定に適合する。
３　独立特許要件
　本件補正後の請求項１に記載された発明（以下、「本件補正発明」という。）が特許出願の際独立して特許を受けることができるものであるか否か（特許法第１７条の２第６項において準用する同法第１２６条第７項の規定に適合するか）について以下に検討する。
（１）本件補正発明
　本件補正発明は、上記１に記載したとおりのものである。
（２）刊行物
　本願の遡及日前に頒布された刊行物である特開２０１０−３５７１９号公報（以下、「刊行物１」という。）には、図面とともに次の事項が記載されている（下線は、当審にて付した。以下、同じ。）。
ア　「【０００１】
　本発明は、遊技機用演出装置及びこれを備えた
遊技機
イ　「【００１５】
　遊技盤３の盤面上に形成される
遊技領域内には、中央部に図柄表示装置（液晶表示装置）８を備えたセンター役物１２が設けられ
ウ　「【００１９】
　また、機構ベース２３には、駆動モータ（第１の駆動手段）２８が一体に組み付けられている。
駆動モータ２８は、後述するギヤ列を通じて第１の可動体２２を回動軸２５を中心に所定範囲で回動（正逆いずれの方向にも回転）させる
エ　「【００２６】
　ここで、駆動モータ２８からの駆動伝達機構の一例について説明する。図３において、機構ベース２３の一端側背面に駆動モータ２８が組み付けられている。駆動モータ２８のモータ軸にはモータギヤ２８ａが組み付けられている。また、第１の可動体２２の回動軸２５には扇形ギヤ３３が一体に組み付けられている。モータギヤ２８ａと扇形ギヤ３３とは機構ベース２３に回転可能に組み付けられたギヤ列３４を介して互いに噛み合っている。扇形ギヤ３３にはピン３３ａが突設されており機構ベース２３に突設されたピン２３ａとの間に引っ張りばね３５（補助手段）によって連結されている。
引っ張りばね３５は、第１の可動体２２を図３の基準位置で保持するように常時引っ張り力を作用しており、駆動モータ２８は、引っ張りばね３５の引っ張り力に抗して第１の可動体２２を可動位置へ回動軸２５中心に所定範囲で回転させるようになっている
引っ張りばね３５は第１の可動体２２が可動位置から
元の位置へ戻る際には駆動モータ２８の駆動負荷を軽減する作用
オ　「【００３３】
　引っ張りばね３５による引っ張り力により
第１の可動体２２が基準位置から可動位置へ回動する
第１の可動体２２が可動位置から基準位置へ復帰する
カ　「【００４０】
　よって、図１において、遊技者は
図柄表示装置８の表示や入賞などの遊技状態に応じて、第１の可動体２２と第２の可動体（装飾体２４ａ）の回動と直動を組み合わせた動作を交互あるいは組み合わせて行なう
演出を行なう
キ　上記ウの「駆動モータ２８は、後述するギヤ列を通じて第１の可動体２２を回動軸２５を中心に所定範囲で回動（正逆いずれの方向にも回転）させる」との記載、及び、上記オの「第１の可動体２２が基準位置から可動位置へ回動する」、「第１の可動体２２が可動位置から基準位置へ復帰する」との記載より、刊行物１には、「
基準位置と可動位置との間で回動する第１の可動体２２と、第１の可動体２２を回動させる駆動モータ２８
ク　上記イの「遊技領域内には、中央部に図柄表示装置（液晶表示装置）８を備えたセンター役物１２が設けられ」との記載において、当該「図柄表示装置」により図柄の可変表示を行うことは、遊技機の分野の技術常識より明らかなので、刊行物１には、「
遊技領域内の中央部に設けられたセンター役物１２に備えられ、図柄の可変表示を行う図柄表示装置８
ケ　上記カの「図柄表示装置８の表示」との記載より、当該「図柄表示装置８」の表示を制御するための制御装置が備えられていることは明らかであるので、刊行物１には、「
図柄表示装置８の表示を制御する制御装置
コ　上記エの「引っ張りばね３５は、第１の可動体２２を図３の基準位置で保持するように常時引っ張り力を作用しており、駆動モータ２８は、引っ張りばね３５の引っ張り力に抗して第１の可動体２２を可動位置へ回動軸２５中心に所定範囲で回転させるようになっている」との記載において、「駆動モータ２８」が「引っ張りばね３５の引っ張り力に抗」するとは、「引っ張りばね３５」が「駆動モータ２８」の動力に抗することでもあるといえる。
　そうすると、「引っ張りばね３５は、第１の可動体２２を図３の基準位置で保持するように常時引っ張り力を作用して」いるから、「第１の可動体２２」が「基準位置」から「可動位置」に回転する間、「引っ張りばね３５」は「駆動モータ２８」の動力に抗しているといえる。
　したがって、刊行物１には、「
駆動モータ２８が第１の可動体２２を基準位置から可動位置へ回転させるとき、駆動モータ２８の動力に抗する引っ張りばね３５
サ　上記カの「図柄表示装置８の表示や入賞などの遊技状態に応じて、第１の可動体２２と第２の可動体（装飾体２４ａ）の回動と直動を組み合わせた動作を交互あるいは組み合わせて行なう・・・演出を行う」との記載において、「第１の可動体２２と第２の可動体」を「交互あるいは組み合わせて」動作させる場合のいずれであっても、「第１の可動体２２」は回動されることがあるので、刊行物１には、「
図柄表示装置８の表示や入賞などの遊技状態に応じて、第１の可動体２２を回動する演出を行う
　上記ア〜カの記載事項、及び、キ〜サの認定事項より、刊行物１には、次の発明（以下、「引用発明」という。）が記載されていると認められる。ただし、記号ａ、ｂ、ｄ〜ｇは、本件補正発明の記号Ａ、Ｂ、Ｄ〜Ｇに対応させて付した。
「ａ　基準位置と可動位置との間で回動する第１の可動体２２と、第１の可動体２２を回動させる駆動モータ２８と、を備えた遊技機であって、（ア、キ）
ｂ　遊技領域内の中央部に設けられたセンター役物１２に備えられ、図柄の可変表示を行う図柄表示装置８と、（ク）
ｄ　図柄表示装置８の表示を制御する制御装置と、（ケ）
ｅ　駆動モータ２８が第１の可動体２２を基準位置から可動位置へ回転させるとき、駆動モータ２８の動力に抗する引っ張りばね３５と、（コ）
　を備え、
ｆ　引っ張りばね３５は第１の可動体２２が可動位置から元の位置へ戻る際には駆動モータ２８の駆動負荷を軽減する作用をし、（エ）
ｇ　図柄表示装置８の表示や入賞などの遊技状態に応じて、第１の可動体２２を回動する演出を行う（サ）
　遊技機。」
（３）対比
　本件補正発明と引用発明とを分説にしたがい対比する。
（ａ）引用発明の「基準位置」、「可動位置」、「第１の可動体２２」、「駆動モータ２８」は、それぞれ、本件補正発明の「基準位置」、「移動位置」、「移動体」、「駆動源」に相当する。
　したがって、引用発明の「基準位置と可動位置との間で回動する第１の可動体２２と、第１の可動体２２を回動させる駆動モータ２８と、を備えた遊技機」は、本件補正発明の「基準位置と該基準位置とは異なる移動位置との間において移動する移動体と、該移動体を移動させる駆動源と、を備える遊技機」に相当する。
（ｂ）引用発明の「図柄」は、本件補正発明の「識別情報」に相当する。
　したがって、引用発明の「遊技領域内の中央部に設けられたセンター役物１２に備えられ、図柄の可変表示を行う図柄表示装置８」は、本件補正発明の「識別情報の可変表示を行う可変表示手段」に相当する。
（ｅ）本件補正発明の「調整手段」が「移動体の移動速度を調整する」点について本願の明細書を参照すると、【０１５４】に「また、下降させる際において、連結ピン５９５が回動軸５３９の直上位置を乗り越えた後に、昇降モータ５３３への電力の供給を停止することで、可動ユニット５０２の自重により可動ユニット５０２を一気に落下させてもよく、このような場合において、引張りバネ５３５が下降速度を抑制するとともに、下降位置における衝撃を緩和させることになる。」との記載があるのみであり、「移動速度の調整」とは、「調整手段」（引張りバネ５３５）が移動体の移動速度を抑制する方向に力を作用させることと解される。
　そうすると、引用発明の「引っ張りばね３５」は、「駆動モータ２８が第１の可動体２２を基準位置から可動位置へ回転させるとき、駆動モータ２８の動力に抗する」ので、第１の可動体２２の移動速度を抑制する方向に力を作用させていることは明らかであり、「移動体の移動速度を調整」しているといえる。
　したがって、引用発明の「引っ張りばね３５」は、本件補正発明の「調整手段」に相当する。
　以上より、引用発明の「駆動モータ２８が第１の可動体２２を基準位置から可動位置へ回転させるとき、駆動モータ２８の動力に抗する引っ張りばね３５」は、本件補正発明の「前記駆動源を用いて前記移動体を前記基準位置から前記移動位置に移動させるときにおいては前記駆動源の動力に抗して該移動体の移動速度を調整する調整手段」に相当する。
（ｆ）引用発明の「第１の可動体２２が可動位置から元の位置へ戻る」ことは、本件補正発明の「前記移動体」が「前記移動位置から前記基準位置に移動」することに相当する。
　また、引用発明の「引っ張りばね３５は・・・駆動モータ２８の駆動負荷を軽減する作用をし」との記載より、「引っ張りばね３５」と「駆動モータ２８」は、どちらも「第１の可動体２２が可動位置から元の位置へ戻る」方向に力を作用させており、「駆動モータ２８」は、その動力が「第１の可動体２２」を「元の位置（基準位置）」に移動させる方向に作用し、これを「引っ張りばね３５」が補っているといえる。
　したがって、引用発明の「引っ張りばね３５は第１の可動体２２が可動位置から元の位置へ戻る際には駆動モータ２８の駆動負荷を軽減する作用をし」は、本件補正発明の「前記駆動源を用いて前記移動体を前記移動位置から前記基準位置に移動させるときにおいては前記駆動源の動力が前記移動体に対し前記基準位置に移動させる方向に作用するとともに前記調整手段は該駆動源の動力を補い」に相当する。
　上記（ａ）、（ｂ）、（ｅ）、（ｆ）の対比より、本件補正発明と引用発明は、構成Ａ、Ｂ、Ｅ、Ｆに関する次の点で一致している。
「Ａ　基準位置と該基準位置とは異なる移動位置との間において移動する移動体と、該移動体を移動させる駆動源と、を備える遊技機であって、
Ｂ　識別情報の可変表示を行う可変表示手段と、
Ｅ　前記駆動源を用いて前記移動体を前記基準位置から前記移動位置に移動させるときにおいては前記駆動源の動力に抗して該移動体の移動速度を調整する調整手段と、
　を備え、
Ｆ　前記駆動源を用いて前記移動体を前記移動位置から前記基準位置に移動させるときにおいては前記駆動源の動力が前記移動体に対し前記基準位置に移動させる方向に作用するとともに前記調整手段は該駆動源の動力を補う
　遊技機。」
　そして、本件補正発明と引用発明は、構成Ｃ、Ｄ、Ｇに関する次の点で相違している。
（相違点１）
　本件補正発明は、未だ開始されていない識別情報の可変表示について、保留記憶として記憶可能な保留記憶手段（構成Ｃ）を備え、当該保留記憶手段に記憶されている保留記憶に対応した保留表示を表示する保留表示手段（構成Ｄ）を備えるのに対し、引用発明は、このような特定がなされていない点。
（相違点２）
　本件補正発明は、保留表示手段は、移動体の状態に応じて保留表示の表示態様を変更する（構成Ｇ）のに対し、引用発明は、このような特定がなされていない点。
（４）判断
ア　相違点１について
　まず、本件補正発明の「保留表示手段」について、本願の明細書の【０１８７】、【０２１３】〜【０２１６】、図２２を参照すると、発明の詳細な説明において、保留記憶表示制御処理を実行している「演出制御用ＣＰＵ１２０」が、本件補正発明の「保留表示手段」に対応するといえるので、「保留表示手段」は、保留表示を制御する制御手段のことといえる。
　そうすると、遊技機の分野において、未だ開始されていない識別情報の可変表示について、保留記憶として保留可能な保留記憶手段と、保留記憶手段に記憶されている保留記憶に対応した保留表示を画面上に表示する保留表示手段を備えることは、慣用技術であり、また、例えば、特開２００４−２４２７７号公報（特に【００４０】、【００５１】、図１１参照。）、特開２００４−４９３２５号公報（特に【００７０】〜【００７４】、図１０参照。）、特開平７−２１３７０６号公報（特に【００３８】、【０１５２】、図１９参照。）、及び、特開２００８−２５３８４８号公報（特に【００１８】、【００１９】、【００４２】、図３参照。）に示されるように、本願の遡及日前における周知技術である。
　そして、引用発明は、「図柄表示装置８の表示を制御する制御装置」を有するものであり、「図柄表示装置８」における図柄の可変表示について、保留記憶手段により保留記憶し、「図柄表示装置８の表示を制御する制御装置」により、「図柄表示装置８」上に当該保留記憶に対応した保留表示をできるように、上記周知・慣用技術を適用し、未だ開始されていない識別情報の可変表示について、保留記憶として記憶可能な保留記憶手段を備え、当該保留記憶手段に記憶されている保留記憶に対応した保留表示を表示する保留表示手段の機能を備えるものとして、上記相違点１に係る本件補正発明の構成とすることは、当業者であれば容易に想到し得たことである。
イ　相違点２について
　遊技機の分野において、保留表示手段が、演出に応じて、画面上の保留表示の表示位置等の表示態様を変更することは、例えば、上記特開２００４−２４２７７号公報（特に【００５５】、【００９６】−【００９８】、図１１参照。）、上記特開２００４−４９３２５号公報（特に【００７６】、【００７７】、図１０参照。）、上記特開平７−２１３７０６号公報（特に【０１５７】、【０１５８】、図１９、２１、２２参照。）、及び、上記特開２００８−２５３８４８号公報（特に【０１３１】、図３参照。）に示されるように、本願の遡及日前における周知技術である。
　そして、演出の興趣を向上させるために、引用発明の「第１の可動体２２を回動する演出」において、「保留表示手段が、演出に応じて、画面上の保留表示の表示態様を変更する」という上記周知技術を適用して、「保留表示手段が、移動体（第１の可動体２２）の状態に応じて保留表示の表示態様を変更する」ものとして、上記相違点２に係る本件補正発明の構成とすることは、当業者であれば容易に想到し得たことである。
ウ　効果について
　上記相違点１に係る「保留記憶手段と保留表示手段を備える」ことにより奏される効果は、上記アに記載したとおり、これらの手段を備えることは周知・慣用技術であって、当該周知・慣用技術が有する効果であることは明らかである。
　また、上記相違点２に係る「保留表示手段は、移動体の状態に応じて保留表示の表示態様を変更する」ことにより奏される効果は、移動体と保留表示による演出上の効果にすぎず、引用発明の「発光表示器８００」（移動体）を動作させること、及び、上記イに記載した「保留表示手段が、演出に応じて、画面上の保留表示の表示位置等の表示態様を変更する」という周知技術から予測される範囲内のものにすぎず、格別なものとはいえない。
（５）請求人の主張
　請求人は、審判請求書の「（４）本願発明と引用文献との対比」において、「本願発明では、移動体を移動位置から基準位置に移動させるときは、駆動源の動力が移動体に対し基準位置に移動させる方向に作用する、すなわち、駆動源の動力で移動体を移動させるものにおいて調整手段が駆動源の動力を補うものであるのに対し、引用文献１に記載の発明では、移動体（可動部材３１）を移動位置（終位置）から基準位置（原位置）に移動させるときは、専らバネ部材４０の弾性力のみにより移動体（可動部材３１）を移動位置（終位置）から基準位置（原位置）へ向けて引っ張り上げているものであって、駆動モータ３８はカム３９を回す動力に過ぎず、駆動モータ３８の動力が移動体（可動部材３１）に作用して基準位置（原位置）へ移動させるものではない」（第７頁第１６〜２４行）と主張している。
　しかしながら、上記（３）（ｆ）に記載したとおり、当審で新たに引用した刊行物１に記載の引用発明は、駆動源の動力で移動体を移動させるものにおいて調整手段が駆動源の動力を補うものである。
　そして、引用発明が当該構成を備えることにより、移動体の移動をスムースに行い、演出上の効果を向上させることができることは、当業者にとって自明である。
　よって、請求人の上記主張を採用することはできない。
　また、請求人は、平成２８年１１月１７日付けで提出した上申書においても、上記と同様に、引用文献１は、本願発明のように移動体を駆動源の動力により移動位置から基準位置に移動させる構成ではない旨主張するが、上記の理由によりこれを採用することはできない。
（６）小括
　上記（４）のとおり、本件補正発明は、当業者が引用発明、上記周知・慣用技術、及び、上記周知技術にもとづいて容易に発明をすることができたものであるから、特許法第２９条第２項の規定により、特許出願の際独立して特許を受けることができない。
　
４　むすび
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
１　本願発明
　本件補正は上記のとおり却下されたので、本願の請求項１、２に係る発明は、平成２８年２月３日付け手続補正書により補正された特許請求の範囲の請求項１、２に記載された事項により特定されるところ、その請求項１に係る発明（以下、「本願発明」という。）は、次のとおりのものである。ただし、記号Ａ．〜Ｇ．は分説するため当審にて付した。
「【請求項１】
Ａ．基準位置と該基準位置とは異なる移動位置との間において移動する移動体と、該移動体を移動させる駆動源と、を備える遊技機であって、
Ｂ．識別情報の可変表示を行う可変表示手段と、
Ｃ．未だ開始されていない識別情報の可変表示について、保留記憶として記憶可能な保留記憶手段と、
Ｄ．前記保留記憶手段に記憶されている保留記憶に対応した保留表示を表示する保留表示手段と、
Ｅ．前記駆動源を用いて前記移動体を前記基準位置から前記移動位置に移動させるときにおいては前記駆動源の動力に抗して該移動体の移動速度を調整する調整手段と、
　を備え、
Ｆ．前記駆動源を用いて前記移動体を前記移動位置から前記基準位置に移動させるときにおいては前記調整手段は前記駆動源の動力を補い、
Ｇ．前記保留表示手段は、前記移動体の状態に応じて前記保留表示の表示態様を変更する
　ことを特徴とする遊技機。」
２　刊行物
　本願の遡及日前に頒布され、原査定の拒絶の理由において提示された特開２００５−１１０８６２号公報（以下、「刊行物２」という。）には、図面とともに次に事項が記載されている。
ア　「【０００１】
　本発明は、遊技機に関し、更に詳細には、遊技球が始動入賞具に入賞した際に得られる始動情報を記憶手段に記憶すると共に、該記憶手段が記憶する始動情報の記憶数を始動情報数表示手段により表示するようにした
遊技機
イ　「【００１８】
(図柄表示装置について)
　図２〜図４に示すように、実施例のパチンコ機Ｐに搭載される
図柄表示装置２２は
表示制御装置２３からの制御信号に基づいて
表示部２２ａで図柄を停止または可変表示する図柄組み合わせゲームを行なう
ウ　「【００２３】
(始動情報数表示手段について)
　図２〜図４に示すように、前記装飾部材２０における前記可視表示部２２ａの上方位置には、前記ＲＡＭ２７が記憶する抽出乱数の記憶数を表示し得る始動情報数表示手段３０が配置されている。前記始動情報数表示手段３０は、図５に示すように、前記装飾部材２０の前面側に揺動自在に枢支された可動部材３１と、前記発光制御装置２９からの制御信号に基づいて点灯または消灯可能なＬＥＤ(発光体)３７,３７,３７,３７と、装飾部材２０の裏側に配設されて、前記表示制御装置２３からの制御に基づいて可動部材３１を作動する駆動モータ(駆動手段)３８と、当該可動部材３１の原位置を検出する原位置検出手段４１とから基本的に構成されている。なお、図３に示すように、前記可動部材３１は、前記装飾部材２０の外周壁部２０ｃに囲繞されており、前記遊技盤Ｊの遊技領域Ｉに打ち出されたパチンコ球が、該可動部材３１の停止時および揺動時(動作時)に接触しないようになっている。また、前記
駆動モータ３８は、
ステッピングモータ
表示制御装置２３からの制御信号に基づいて所定角度だけ回転し得るよう構成される
回転軸３８ａに、円板状のカム３９を偏心して取り付けてある
エ　「【００２４】
　前記可動部材３１は、図５に示すように、後面を構成する平板状のベース部３２と、該ベース部３２の前側に取り付けられて前面を構成し、後方に開口する略箱状に形成された透光性のカバー部３５と、ベース部３２およびカバー部３５の間に画成される空間部に配置されて、光の照射方向がカバー部３５を指向するよう前記各ＬＥＤ３７を配設した配線基板３６とから構成される。ここで、前記可動部材３１は、前記ベース部３２とカバー部３５の右端部に穿設した軸孔３２ａ,３５ａ(図５参照)に、前記装飾部材２０に設けた軸部２１(図６参照)を挿通することにより該装飾部材２０に枢支されて、
可動部材３１が
開口部２０ａの上端縁に沿って延在する原位置
および
表示部２２ａの前側に向けて移動した際の表示部２２ａの対角線方向に延在する終位置
の間を揺動し得るようになっている
オ　「【００２５】
　そして、前記
ＬＥＤ３７,３７,３７,３７は、
４つ配設されており
カ　「【００２６】
　また、図５または図６に示すように、前記ベース部３２の右側上端縁における前記軸孔３２ａの穿設位置より左側には、後方に向けて延出すると共に左端部に爪部３３ａを形成したアーム３３が設けられている。ここで、前記爪部３３ａには、一方の端部を前記装飾部材２０に形成した係止片２０ｂ(図７または図８参照)に係止したバネ部材４０の他方の端部が係止され、該可動部材３１を常には上方(前記原位置)に向けて引っ張るようになっている。このとき、前記アーム３３の上面に前記駆動モータ３８に取り付けた前記カム３９の外周面が当接している。なお、前記可動部材３１が、前記原位置にある場合には、前記カム３９の外周面とアーム３３とが当接する当接部位から該モータの回転軸３８ａまでの距離寸法が最も小さくなるよう設定してある(図６または図７参照)。すなわち、
前記可動部材３１が原位置にある状態で前記駆動モータ３８(カム３９)を回転させると、前記アーム３３とカム３９との当接部位から該モータ３８の回転軸３８ａまでの距離寸法が大きくなり、これに伴い前記バネ部材４０の弾性力に抗して可動部材３１が下方に押し下げられて前記終位置に変位する
アーム３３とカム３９との当接部位から回転軸３８ａまでの距離寸法が小さくなるに伴い、バネ部材４０の弾性力により上方に引っ張られて可動部材３１が原位置に変位するようになっている
キ　「【００２９】
  前記上球皿Ｅにパチンコ球を貯留した状態で遊技者が前記打球発射装置Ｈを操作すると、該上球皿Ｅに貯留したパチンコ球が１球ずつ遊技盤Ｊの遊技領域Ｉに打ち出され、前記案内車１３,１３等により流下方向を変えられつつ遊技盤Ｊの盤面上を流下する。このとき、前記始動入賞具１１の入賞口にパチンコ球が入賞すると、前記入賞スイッチ１２が入賞検出信号を前記主制御装置２５へ送信し、該主制御装置２５のＣＰＵ２８は多数の大当り判定用乱数から一つの乱数を抽出する。そして、前記主制御装置２５は、この抽出乱数に基づいて前記表示制御装置２３や前記発光制御装置２９等の各制御装置に制御信号を送信し、該表示制御装置２３は受信した制御信号に基づいて前記図柄表示装置２２において図柄を可変表示すると共に、前記発光制御装置２９は前記電飾装置１８,１８を発光して、所要の遊技演出が行なわれる。このとき、遊技者は、前記抽出乱数と大当り判定値とが一致するか否か、すなわち大当り遊技状態が発生するか否かを知り得ないから、大当り遊技状態が発生する期待感を持って遊技を楽しむことができる。更に、駆動モータ３８により揺動し得る可動部材３１を設けたから、前記
図柄表示装置２２での遊技演出に合わせて該可動部材３１を揺動する
ク　「【００３０】
　また、
前記図柄表示装置２２において遊技演出が行なわれているときに前記始動入賞具１１に別のパチンコ球が入賞すると、
抽出乱数を一時的にＲＡＭ２７に記憶する
ＲＡＭ２７が記憶する抽出乱数の記憶数に応じて、前記各ＬＥＤ３７を点灯または消灯する
ケ　上記カの「前記可動部材３１が原位置にある状態で前記駆動モータ３８(カム３９)を回転させると、前記アーム３３とカム３９との当接部位から該モータ３８の回転軸３８ａまでの距離寸法が大きくなり、これに伴い前記バネ部材４０の弾性力に抗して可動部材３１が下方に押し下げられて前記終位置に変位する」との記載より、刊行物２には、「
可動部材３１を変位させる駆動モータ３８
　また、「駆動モータ３８(カム３９)を回転させると」、「バネ部材４０の弾性力に抗して可動部材３１が下方に押し下げられ」との記載において、「駆動モータ３８」が「バネ部材４０」の弾性力に抗して作動していることは明らかであり、これは「バネ部材４０」が「駆動モータ３８」の動力に抗しているともいえる。
　そうすると、「可動部材３１が原位置にある状態で駆動モータ３８(カム３９)を回転させると、アーム３３とカム３９との当接部位から該モータ３８の回転軸３８ａまでの距離寸法が大きくなり、これに伴い、バネ部材４０が駆動モータ３８の動力に抗し、可動部材３１が下方に押し下げられて終位置に変位する」といえる。
　これを言い換えると、刊行物２には、「
可動部材３１が原位置にある状態で駆動モータ３８(カム３９)を回転させると、アーム３３とカム３９との当接部位から該モータ３８の回転軸３８ａまでの距離寸法が大きくなり、可動部材３１が下方に押し下げられて終位置に変位し、アーム３３とカム３９との当接部位から該モータ３８の回転軸３８ａまでの距離寸法が大きくなるに伴い駆動モータ３８の動力に抗するバネ部材４０
　上記ア〜クの記載事項、及び、ケの認定事項より、刊行物２には、次の発明（以下、「引用発明２」という。）が記載されていると認められる。ただし、記号ａ．〜ｇ．は、本願発明の記号Ａ．〜Ｇ．に対応させて付した。
「ａ．開口部２０ａの上端縁に沿って延在する原位置および表示部２２ａの前側に向けて移動した際の表示部２２ａの対角線方向に延在する終位置の間を揺動し得るようになっている可動部材３１と、可動部材３１を変位させる駆動モータ３８とを備える遊技機であって、（ア、エ、ケ）
ｂ．表示制御装置２３からの制御信号に基づいて、表示部２２ａで図柄を停止または可変表示する図柄組み合わせゲームを行なう図柄表示装置２２と、（イ）
ｃ．前記図柄表示装置２２において遊技演出が行なわれているときに前記始動入賞具１１に別のパチンコ球が入賞すると、抽出乱数を一時的に記憶するＲＡＭ２７と、（ク）
ｄ．ＲＡＭ２７が記憶する抽出乱数の記憶数に応じて、点灯または消灯する４つ配設されたＬＥＤ３７と、（オ、ク）
ｅ．可動部材３１が原位置にある状態で、表示制御装置２３からの制御信号に基づいて所定角度だけ回転し得るよう構成されたステッピングモータであり、回転軸３８ａに円板状のカム３９を偏心して取り付けてある駆動モータ３８(カム３９)を回転させると、アーム３３とカム３９との当接部位から該モータ３８の回転軸３８ａまでの距離寸法が大きくなり、可動部材３１が下方に押し下げられて終位置に変位し、アーム３３とカム３９との当接部位から該モータ３８の回転軸３８ａまでの距離寸法が大きくなるに伴い駆動モータ３８の動力に抗するバネ部材４０と、（ウ、ケ）
　を備え、
ｆ．アーム３３とカム３９との当接部位から回転軸３８ａまでの距離寸法が小さくなるに伴い、バネ部材４０の弾性力により上方に引っ張られて可動部材３１が原位置に変位し、（カ）
ｇ．図柄表示装置２２での遊技演出に合わせて該可動部材３１を揺動する（キ）
　遊技機。」
３　対比
　本願発明と引用発明２を分説にしたがい対比する。
（ａ）引用発明２の「原位置」、「終位置」、「可動部材３１」、「駆動モータ３８」は、それぞれ、本願発明の「基準位置」、「移動位置」、「移動体」、「駆動源」に相当する。
　したがって、引用発明２の「開口部２０ａの上端縁に沿って延在する原位置および表示部２２ａの前側に向けて移動した際の表示部２２ａの対角線方向に延在する終位置の間を揺動し得るようになっている可動部材３１と、可動部材３１を変位させる駆動モータ３８とを備える遊技機」は、本願発明の「基準位置と該基準位置とは異なる移動位置との間において移動する移動体と、該移動体を移動させる駆動源と、を備える遊技機」に相当する。
（ｂ）引用発明２の「図柄」は、本願発明の「識別情報」に相当する。
　したがって、引用発明２の「表示制御装置２３からの制御信号に基づいて、表示部２２ａで図柄を停止または可変表示する図柄組み合わせゲームを行なう図柄表示装置２２」は、本願発明の「識別情報の可変表示を行う可変表示手段」に相当する。
（ｃ）引用発明２において、「図柄表示装置２２において遊技演出が行なわれているときに前記始動入賞具１１に別のパチンコ球が入賞」した場合、当該入賞の可変表示は開始されないので、これに対応する「抽出乱数」（本願発明の「保留記憶」に相当）は「未だ開始されていない識別情報の可変表示について」のものといえる。
　したがって、引用発明２の「前記図柄表示装置２２において遊技演出が行なわれているときに前記始動入賞具１１に別のパチンコ球が入賞すると、抽出乱数を一時的に記憶するＲＡＭ２７」は、本願発明の「未だ開始されていない識別情報の可変表示について、保留記憶として記憶可能な保留記憶手段」に相当する。
（ｄ）引用発明２における「ＲＡＭ２７（保留記憶手段）が記憶する抽出乱数（保留記憶）の記憶数に応じ」た「４つ配設されたＬＥＤ３７」の「点灯または消灯」は、本願発明の「前記保留記憶手段に記憶されている保留記憶に対応した保留表示」に相当する。
　したがって、引用発明２の「ＲＡＭ２７が記憶する抽出乱数の記憶数に応じて、点灯または消灯する４つ配設されたＬＥＤ３７」は、本願発明の「前記保留記憶手段に記憶されている保留記憶に対応した保留表示を表示する保留表示手段」に相当する。
（ｅ）引用発明２において、「可動部材３１が原位置にある状態で・・・駆動モータ３８(カム３９)を回転させ」、「可動部材３１が下方に押し下げられて終位置に変位」することは、本願発明の「前記駆動源を用いて前記移動体を前記基準位置から前記移動位置に移動させる」ことに相当する。
　ここで、本願発明の「調整手段」が「移動体の移動速度を調整する」とは、上記第２の３（３）（ｅ）に示したとおり、「調整手段」（引張りバネ５３５）が移動体の移動速度を抑制する方向に力を作用させることと解されるから、引用発明２の「バネ部材４０」は、本願発明の「調整手段」に相当し、また、可動部材３１を変位させる「駆動モータ３８の動力に抗する」ものであるので、「可動部材３１」の移動速度を抑制する方向に力を作用させていることは明らかであり、「可動部材３１」の移動速度を調整しているといえる。
　したがって、引用発明２の「可動部材３１が原位置にある状態で、表示制御装置２３からの制御信号に基づいて所定角度だけ回転し得るよう構成されたステッピングモータであり、回転軸３８ａに円板状のカム３９を偏心して取り付けてある駆動モータ３８(カム３９)を回転させると、アーム３３とカム３９との当接部位から該モータ３８の回転軸３８ａまでの距離寸法が大きくなり、可動部材３１が下方に押し下げられて終位置に変位し、アーム３３とカム３９との当接部位から該モータ３８の回転軸３８ａまでの距離寸法が大きくなるに伴い駆動モータ３８の動力に抗するバネ部材４０」は、本願発明の「前記駆動源を用いて前記移動体を前記基準位置から前記移動位置に移動させるときにおいては前記駆動源の動力に抗して該移動体の移動速度を調整する調整手段」に相当する。
（ｆ）引用発明２は、構成ｅ．より、「可動部材３１が原位置にある状態で、表示制御装置２３からの制御信号に基づいて所定角度だけ回転し得るよう構成されたステッピングモータであり、回転軸３８ａに円板状のカム３９を偏心して取り付けてある駆動モータ３８(カム３９)を回転させる」ものであるが、可動部材３１が原位置から移動するときと同様に、原位置に戻るときにも、制御信号に基づいて「駆動モータ３８」を回転させることにより、「駆動モータ３８」を用いて「カム３９」を回転させるものといえる。
　そうすると、引用発明２において、「アーム３３とカム３９との当接部位から回転軸３８ａまでの距離寸法が小さくなるに伴い」、「可動部材３１が原位置に変位」することは、「カム３９」の回転に「駆動モータ３８」を用いるのであるから、「駆動モータ３８」を用いて、「アーム３３とカム３９との当接部位」を変位させて、「可動部材３１」を「原位置」に移動させることであるといえるので、本願発明の「前記駆動源を用いて前記移動体を前記移動位置から前記基準位置に移動させる」ことに相当する。
　さらに、引用発明２では、「バネ部材４０の弾性力により上方に引っ張られて可動部材３１が原位置に変位」し、このとき「アーム３３とカム３９との当接部位から回転軸３８ａまでの距離寸法が小さくなる」ので、「バネ部材４０」は「カム３９」に対して「アーム３３とカム３９との当接部位から回転軸３８ａまでの距離寸法が小さくなる」方向に力を及ぼしているといえる。
　そうすると、「駆動モータ３８」が「カム３９」を回転させているところ、「アーム３３とカム３９との当接部位から回転軸３８ａまでの距離寸法が小さくなる」ときには、「バネ部材４０」は「カム３９」に「駆動モータ３８」と同じ方向に力を及ぼすことにより、「駆動モータ３８」の動力を補うものといえる。
　したがって、引用発明２の「アーム３３とカム３９との当接部位から回転軸３８ａまでの距離寸法が小さくなるに伴い、バネ部材４０の弾性力により上方に引っ張られて可動部材３１が原位置に変位する」ことにおいて、「バネ部材４０」が「弾性力により上方に引っ張」ることは、本願発明の「前記駆動源を用いて前記移動体を前記移動位置から前記基準位置に移動させるときにおいては前記調整手段は前記駆動源の動力を補」うことに相当する。
　上記（ａ）〜（ｆ）の対比より、本願発明と引用発明２は、構成Ａ．〜Ｆ．に関する次の点で一致している。
「Ａ．基準位置と該基準位置とは異なる移動位置との間において移動する移動体と、該移動体を移動させる駆動源と、を備える遊技機であって、
Ｂ．識別情報の可変表示を行う可変表示手段と、
Ｃ．未だ開始されていない識別情報の可変表示について、保留記憶として記憶可能な保留記憶手段と、
Ｄ．前記保留記憶手段に記憶されている保留記憶に対応した保留表示を表示する保留表示手段と、
Ｅ．前記駆動源を用いて前記移動体を前記基準位置から前記移動位置に移動させるときにおいては前記駆動源の動力に抗して該移動体の移動速度を調整する調整手段と、
　を備え、
Ｆ．前記駆動源を用いて前記移動体を前記移動位置から前記基準位置に移動させるときにおいては前記調整手段は前記駆動源の動力を補う
　遊技機。」
　そして、本願発明と引用発明２は、構成Ｇ．に関する次の点で相違している。
（相違点）
　本願発明は、保留表示手段は、移動体の状態に応じて保留表示の表示態様を変更する（構成Ｇ．）のに対し、引用発明２は、このような特定がなされていない点。
４　判断
　上記第２の３（４）に記載したとおり、保留表示手段が、演出に応じて、画面上の保留表示の表示態様を変更することは、上記特開２００４−２４２７７号公報、特開２００４−４９３２５号公報、特開平７−２１３７０６号公報、及び、特開２００８−２５３８４８号公報に示されるように、本願の遡及日前の遊技機の分野における周知技術である。
　そして、演出の興趣を向上させるために、引用発明２の「図柄表示装置２２での遊技演出に合わせて該可動部材３１を揺動する」演出において、「保留表示手段が、演出に応じて、画面上の保留表示の表示態様を変更する」という上記周知技術を適用して、「保留表示手段が、移動体（可動部材３１）の状態に応じて保留表示の表示態様を変更する」ものとして、上記相違点に係る本願発明の構成とすることは、当業者であれば容易に想到し得たことである。
　そして、上記相違点に係る「保留表示手段は、移動体の状態に応じて保留表示の表示態様を変更する」ことにより奏せられる効果は、移動体と保留表示による演出上の効果にすぎず、引用発明２の「可動部材３１」（移動体）を動作させること、及び、上記した「保留表示手段が、演出に応じて、画面上の保留表示の表示位置等の表示態様を変更する」という周知技術から予測される範囲内のものにすぎず、格別なものとはいえない。
５　請求人の主張
　請求人は、平成２８年２月３日付け意見書の「（４）本発明と引用文献に記載の発明との対比」において、相違点として、「本発明では、移動体を移動位置から基準位置に移動させるときは、専ら駆動源の動力によるものであり、調整手段は駆動源の動力を補う役割りをするものであるのに対し、引例１に記載のものでは、移動体（可動部材３１）を移動位置（終位置）から基準位置（原位置）に移動させるときは、専らバネ部材４０の弾性力のみにより移動体（可動部材３１）を基準位置（原位置）へ向けて引っ張り上げており、駆動源（駆動モータ３８）は何ら関与せず、むしろ、駆動源（駆動モータ３８）の動力により回るカムは、バネ部材４０の動きに抗して移動速度を抑制している点」（第４頁第１１〜１７行）を挙げている。
　しかしながら、本願発明の請求項１には、「移動体を移動位置から基準位置に移動させるときは、専ら駆動源の動力による」との限定はなく、「前記駆動源を用いて前記移動体を前記移動位置から前記基準位置に移動させる」と記載されているのみである。
　そして、上記３（ｆ）に記載したとおり、引用発明２は、「駆動モータ３８」を用いて「カム３９」を回転させることで、可動部材３１を原位置へ移動させるものであり、また、「バネ部材４０」が「駆動モータ３８」の動力を補う点も、上記３（ｆ）に記載したとおり、引用発明２が備えるものである。
　したがって、請求人の上記主張は、請求項の記載に基づくものではなく、これを採用することはできない。
　なお、加えて、請求人が相違点として主張する「移動体を移動位置から基準位置に移動させるときは、専ら駆動源の動力によるものであり、調整手段は駆動源の動力を補う役割りをする」ことは、上記刊行物１（特開２０１０−３５７１９号公報、特に【００２６】、図３参照。「第１の可動体２２」（移動体）が可動位置から元の位置へ戻る際に、「引っ張りばね３５」（調整手段）が「駆動モータ２８」の駆動負荷を軽減することが記載されている。）、及び、特開２００８−２７２２２８号公報（特に【００５２】、【００５３】、図８参照。「可動体」（移動体）を原点位置に復帰させるときに、「ばね部材３６」（調整手段）の周方向の分力Ｆ１が補助的な力として作用し、モータ２５にかかる負荷を小さくすることが記載されている。）に示されるように、本願の遡及日前における遊技機の分野の周知技術にすぎず、これを引用発明２に適用することは、当業者であれば容易に想到し得たことである。
６　むすび
　以上のとおりであるから、本願発明は、特許法第２９条第２項の規定により特許を受けることができない。したがって、その他の請求項について検討するまでもなく、本願は拒絶されるべきものである。
　よって、結論のとおり審決する。